(57)【要約】【課題】    デジタルビデオカメラのリモコン制御方式のデジタル方式とアナログ方式制御方式を、１台で自動判別対応可能なリモートコントローラを提供する。【解決手段】    スタート／ストップを操作するスタート／ストップスイッチＳＷ１と、ズームを操作するズームボリュームＶＲ１と、スタート／ストップスイッチＳＷ１およびズームボリュームＶＲ１の操作信号を通信信号に変換するマイコン回路ＩＣ１と、スタート／ストップスイッチＳＷ１およびズームボリュームＶＲ１の操作信号をマイコン回路ＩＣ１を通さずにデジタルビデオカメラに送るか、マイコン回路ＩＣ１に入力させて得られた通信信号をデジタルビデオカメラに送るかを自動で切り替える自動切替回路を備える。【選択図】        図１
2017098938.tif 000002
【特許請求の範囲】
【請求項１】
デジタルビデオカメラのスタート／ストップを操作するスタート／ストップスイッチと、デジタルビデオカメラのズームを操作するズームボリュームと、スタート／ストップスイッチおよびズームボリュームの操作信号を通信信号に変換するマイコン回路と、スタート／ストップスイッチおよびズームボリュームの操作信号をマイコン回路を通さずにデジタルビデオカメラに送るか、マイコン回路に入力させて得られた通信信号をデジタルビデオカメラに送るかを自動で切り換える自動切替回路を備える、デジタルビデオカメラのリモートコントローラ。
【請求項２】
デジタルビデオカメラのスタート／ストップを操作するスタート／ストップスイッチと、スタート／ストップスイッチの操作信号を通信信号に変換するマイコン回路と、スタート／ストップスイッチの操作信号をマイコン回路を通さずにデジタルビデオカメラに送るか、マイコン回路に入力させて得られた通信信号をデジタルビデオカメラに送るかを自動で切り換える自動切替回路とを備えていることを特徴とする、デジタルビデオカメラのリモートコントローラ。
【請求項３】
デジタルビデオカメラのズームを操作するズームボリュームと、ズームボリュームの操作信号を通信信号に変換するマイコン回路と、ズームボリュームの操作信号をマイコン回路を通さずにデジタルビデオカメラに送るか、マイコン回路に入力させて得られた通信信号をデジタルビデオカメラに送るかを自動で切替える自動切替回路とを備えていることを特徴とするデジタルビデオカメラのリモートコントローラ。
【請求項４】
前記自動切替回路は、ズームリモコンの内部の電圧検知回路により通信制御方式のカメラに接続されたか、直接制御方式のカメラに接続されたのを判断して、自動でモードを切替える回路である、請求項１〜請求項３の何れか１つに記載のリモートコントローラ。
【発明の詳細な説明】
【技術分野】
【０００１】
本発明は、デジタルビデオカメラをリモートコントロールする装置に関するものである。
【背景技術】
【０００２】
現在、デジタルビデオカメラのリモートコントロールについては、デジタルビデオカメラのメーカーによって、マイコン回路による通信信号で制御するＬＡＮＣ（登録商標）と呼ばれるタイプ（通信制御方式と呼ぶこととする）と、ボリューム及びスイッチにより直接制御するタイプ（直接制御方式と呼ぶこととする）とが混在しており、それぞれに合わせたリモートコントローラ又は切替スイッチにより切替えが必要である（非特許文献１、２参照）。
【先行技術文献】
【非特許文献】
【０００３】
【非特許文献１】ｈｔｔｐ：／／ｗｗｗ．ｖａｒｉｚｏｏｍ．ｃｏｍ／ｆｏｃｕｓ−ｚｏｏｍ−ｃａｍｅｒａ−ｌｅｎｓ−ｃｏｎｔｒｏｌｓ−ｓ／１８１４．ｈｔｍ
【非特許文献２】ｈｔｔｐ：／／ｗｗｗ．ｌｉｂｅｃ．ｃｏ．ｊｐ／ｐｒｏｄｕｃｔｓ／ｒｅｍｏｔｅ＿ｃｏｎｔｒｏｌｓ／ｒｅｍｏｔｅ＿ｃｏｎｔｒｏｌｓ．ｈｔｍｌ
【発明の概要】
【発明が解決しようとする課題】
【０００４】
しかしながら、上記いずれの制御方式にも自動対応するリモートコントローラは未だ実現されていない。ユーザーからは切望されている。
【０００５】
本発明はそこで、以上のとおりの事情に鑑み、本願発明は、メーカー毎に異なるデジタルビデオカメラの制御方式に１台で手動で切替えることなく、自動対応可能なリモートコントローラを提供することを課題としている。
【課題を解決するための手段】
【０００６】
本願発明は、上記の課題を解決するものとして、第１には、デジタルビデオカメラのスタート／ストップを操作するスタート／ストップスイッチと、デジタルビデオカメラのズームを操作するズームボリュームと、スタート／ストップスイッチおよびズームボリュームの操作信号を通信信号に変換するマイコン回路と、スタート／ストップスイッチおよびズームボリュームの操作信号をマイコン回路を通さずにデジタルビデオカメラに送るか、マイコン回路に入力させて得られた通信信号をデジタルビデオカメラに送るかを自動で切り換える自動切替回路を備えていることを特徴とする。
【０００７】
第２には、デジタルビデオカメラのスタート／ストップを操作するスタート／ストップスイッチと、スタート／ストップスイッチの操作信号を通信信号に変換するマイコン回路と、スタート／ストップスイッチの操作信号をマイコン回路を通さずにデジタルビデオカメラに送るか、マイコン回路に入力させて得られた通信信号をデジタルビデオカメラに送るかを自動で切り換える自動切替回路を備えていることを特徴とする。
【０００８】
第３には、デジタルビデオカメラのズームを操作するズームボリュームと、ズームボリュームの操作信号を通信信号に変換するマイコン回路と、ズームボリュームの操作信号をマイコン回路を通さずにデジタルビデオカメラに送るか、マイコン回路に入力させて得られた通信信号をデジタルビデオカメラに送るかを自動で切り換える自動切替回路を備えていることを特徴とする。
【０００９】
好ましくは、前記自動切替回路は、ズームリモコンの内部の電圧検知回路により通信制御方式のカメラに接続されたか、直接制御方式のカメラに接続されたのを判断して、自動でモードを切替える回路である。
【発明の効果】
【００１０】
上記第１〜第３の発明によれば、切換スイッチによって直接操作信号を送出するかマイコン回路による通信信号を送出するかを自動判別回路で切り換えることができるため、使用時にユーザが適宜、直接制御方式および通信制御方式の２種類のデジタルビデオカメラに対応させたスタート／ストップやズームを一台のリモートコントローラで実現できるようになる。
また、本発明によれば、スタート／ストップスイッチおよびズームボリュームの操作信号有し、ズームリモコンとカメラが通信をするタイプ、ボリュームの位置、ＶＴＲスタートストップをデジタル通信回路に置き換えるマイコンの方式と、ボリュームの位置、スタートストップをダイレクトに伝えるアナログタイプ回路をズームリモコン本体の１つのコネクタに接続することができる。
【図面の簡単な説明】
【００１１】
【図１】本願発明の一実施形態を示した概略回路図である。
【発明を実施するための形態】
【００１２】
この図１において、ＳＷ１は、デジタルビデオカメラ（以下ＤＶカメラと略す）の再生や録画等のスタート／ストップを操作するスタート／ストップスイッチ、ＶＲ１は、ＤＶカメラのデジタルや光学のズームを操作する、可変抵抗素子でなるズームボリューム、ＩＣ１は、スタート／ストップスイッチＳＷ１およびズームボリュームＶＲ１の操作信号を通信信号に変換するマイコン回路、ＲＹは、スタート／ストップスイッチＳＷ１およびズームボリュームＶＲ１の操作信号をマイコン回路ＩＣ１を通さずにＤＶカメラに送るか、マイコン回路ＩＣ２に入力させて得られた通信信号をＤＶカメラに送るかを判断して切換える回路である。また、ＰＪ１は、ＤＶカメラ側のコネクタと有線接続してＤＶカメラに各信号を送るリモートコネクタである。
【００１３】
これにおいて、まず、ＬＡＮＣ通信制御方式のＤＶカメラをリモートコントロールする場合には、入力ピンの電圧を読み取り、ＲＹがＡ側となり（図示状態）、マイコン回路ＩＣ１に電源を供給するとともにスタート／ストップスイッチＳＷ１およびズームボリュームＶＲ１の操作信号を入力可能な状態とする。そして、スタート／ストップスイッチＳＷ１またはズームボリュームＶＲ１がユーザにより操作されると、それらの信号がマイコン回路ＩＣ１に入力されて、入力値に従ってスタート／ストップを示す通信信号や広角Ｗ／望遠Ｔのズームを示す通信信号に変換され、リモートコネクタＰＪ１から接続ケーブル（図示なし）を通ってＤＶカメラに送られる。ボリューム操作信号の通信信号への変換は、たとえば操作信号の変化量を計算することで実行される。
【００１４】
これに対し、直接制御方式のＤＶカメラをリモートコントロールする場合には、ＲＹがＢ側となり、スタート／ストップスイッチＳＷ１およびズームボリュームＶＲ１の操作信号をマイコン回路を通さずにリモートコネクタＰＪ１に流す状態とする。そして、スタート／ストップスイッチＳＷ１およびズームボリュームＶＲ１の操作信号は、ユーザ操作時にそのまま直接リモートコネクタＰＪ１から接続ケーブルを通ってＤＶカメラに送られる。
【００１５】
これによれば、ユーザは、カメラにリモコンを挿入するだけで、通信制御方式および直接制御方式の２種類のＤＶカメラを１台のリモートコントローラで遠隔制御できる、つまり一台のリモートコントローラを２種類のデジタルビデオに共用できるようになるのである。
【００１６】
以上の図１の実施形態では、スタート／ストップスイッチＳＷ１およびズームボリュームＶＲ１の両方を具備したとなっているが、いずれか一方のみを具備してスタート／ストップとズームのいずれか一方を制御するリモートコントローラを構築できることは言うまでもない。
【００１７】
またもちろん、リモートコネクタＰＪ１については、直接操作信号を送るための直接制御方式ＤＶカメラ専用のコネクタと、マイコン回路により変換された通信信号を送るための通信制御方式ＤＶカメラ専用のコネクタとを別々に設けてもよい。
【００１８】
図１の回路を筐体内に収容し、スタート／ストップスイッチＳＷ１に対応するスタート／ストップ操作部、ズームボリュームＶＲ１に対応するズーム操作部、切換スイッチＳＷ２に対応する切換操作部を設けることができる。
【００１９】
このように、筐体に上記回路構成の基板を内蔵させ、各操作部を適所に配置した一体型装置を実現することができ、このコンパクト且つ安価なリモートコントローラ１台で上記のとおりに２種類の制御方式のＤＶカメラをそれぞれ遠隔制御できる。
【００２０】
なお、上記実施形態では、リレーを用いて回路の切替を行っているが、リレーの代わりにＦＩＴやトランジスタを利用することもできる。また、ソフトで切換えることも可能である。
【符号の説明】
【００２１】
ＳＷ１    スタート／ストップスイッチ
ＶＲ１    ズームボリューム
ＩＣ１    マイコン回路
ＲＹ  リレー（切換回路）
ＳＴ１    リモートコネクタ
【図１】
2017098938.tif 000003